(57)【要約】      （修正有）【課題】果樹栽培や露地での作物栽培等農業全般において降雹被害を有効に防止でき、またその他の分野においても降雹被害等の降下物による被害を有効に防止でき、しかも使用方法が簡単な被覆網を提供する。【解決手段】被覆網１０は、網本体１と、その縁部に取り付けられている紐部２Ａ、２Ｂと、紐部２Ａ、２Ｂの先端部にそれぞれ取り付けられている結合手段３Ａ、３Ｂと、網本体１の別の縁部に取り付けられていて結合手段３Ａ、３Ｂと結合可能な被結合部位５Ａ、５Ｂと、紐部２Ａ、２Ｂの先端部に取り付けられている錘部４Ａ、４Ｂとからなる構成である。【選択図】図１
0003197321.tif 000002
【実用新案登録請求の範囲】
【請求項１】
対象物を被覆するための被覆網であって、網本体と、その縁部に取り付けられている紐部と、該紐部の先端部に取り付けられている結合手段と、該網本体の別の縁部に取り付けられていて該結合手段と結合可能な被結合部位と、該紐部の先端部に取り付けられている錘部とからなることを特徴とする、被覆網。
【請求項２】
対象物を被覆するための被覆網であって、網本体と、その縁部に取り付けられている紐部と、該紐部の先端部に取り付けられている結合手段と、該網本体の別の縁部に取り付けられていて該結合手段と結合可能な被結合部位とからなり、該紐部に錘部を取り付け可能であることを特徴とする、被覆網。
【請求項３】
前記網本体の下側で前記結合手段および被結合部位による結合がなされることを特徴とする、請求項１または２に記載の被覆網。
【請求項４】
前記対象物が樹木であることを特徴とする、請求項１ないし３のいずれかに記載の被覆網。
【請求項５】
前記紐部および被結合部位は、互いに前記網本体中央部の向こう側に位置して設けられていることを特徴とする、請求項１ないし４のいずれかに記載の被覆網。
【請求項６】
前記結合手段および被結合部位の組は複数設けられていることを特徴とする、請求項１ないし５のいずれかに記載の被覆網。
【請求項７】
前記錘部は錘となる物体を収容するための錘収容手段であることを特徴とする、請求項１ないし６のいずれかに記載の被覆網。
【請求項８】
前記錘部は錘であることを特徴とする、請求項１ないし６のいずれかに記載の被覆網。
【請求項９】
前記網本体の網目は防雹効果を得られる程度に形成されていることを特徴とする、請求項１ないし８のいずれかに記載の被覆網。
【請求項１０】
前記網本体を構成する網糸は透光性に形成されていることを特徴とする、請求項１ないし９のいずれかに記載の被覆網。
【請求項１１】
請求項１ないし１０のいずれかに記載の被覆網と、前記錘部を投てきするための投てき手段とからなる、被覆網セット。
【考案の詳細な説明】
【技術分野】
【０００１】  本考案は被覆網および被覆網セットに係り、特に、果樹栽培や露地での作物栽培等農業全般において降雹被害を防止でき、またその他の分野においても降雹被害等上空からの降下物による被害を有効に防止することのできる、被覆網および被覆網セットを提供するものである。
【背景技術】
【０００２】  リンゴ等の果樹栽培や露地での野菜その他の作物栽培等、農業全般において、降雹被害を予防するための技術は重要である。予防策としては従来、多くの技術的提案がなされている。【０００３】  たとえば後掲特許文献１には、リングまたはローラーを用いてネットの開閉用ワイヤの向きを変える防雹ネットであって、作物の列に沿って直立した複数の支柱、支柱間のワイヤに固定された防雹ネット、防雹ネットの開閉を行うための開閉用ワイヤからなり、隣接する支柱間に張られたワイヤに開閉用ワイヤをつなぐ際に、リングまたはローラーを用いて下方に方向転換することで、作物への日照に影響を与えずに簡便にネットの開閉を行える防雹ネットが開示されている。
【先行技術文献】
【特許文献】
【０００４】
【特許文献１】欧州特許出願公開２６２５９５０号「農業用栽培のための防雹装置」
【考案の概要】
【考案が解決しようとする課題】
【０００５】  従来の防雹技術は上記文献開示技術のように、予め装置を設置して行うものであるが、このような装置を果樹園や圃場全体に設置することは、費用面でも労力面でも容易なことではない。また、装置の運転もそれなりに労力のかかることであり、突然の降雹に対して必ずしも適切・迅速に使用できるものであるともいえない。【０００６】  また、果樹園や圃場の経営規模が小さいほど、従来のような装置を導入することは容易ではない。さらに農業分野のみならず、屋外にある様々な物を、降雹被害その他の落下物による被害から簡易に防止する技術があれば、便利である。【０００７】  そこで本考案が解決しようとする課題は、果樹栽培や露地での作物栽培等農業全般において降雹被害を有効に防止でき、またその他の分野においても降雹被害等の降下物による被害を有効に防止でき、しかも低費用に導入でき、使用方法が簡単な、被覆網および被覆網セットを提供することである。
【課題を解決するための手段】
【０００８】  本願考案者は上記課題について検討した結果、人力または適宜の投てき手段を用いて、降雹など落下物による被害防止したい対象の上に地上から網を投げ掛け、その網の対向箇所同士を対象物の下方で連結し、網による被覆状態を固定できる網構造とするによって解決できることに想到し、これに基づいて本考案を完成するに至った。すなわち、上記課題を解決するための手段として本願で実用新案登録請求される考案、もしくは少なくとも開示される考案は、以下の通りである。【０００９】  〔１〕  対象物を被覆するための被覆網であって、網本体と、その縁部に取り付けられている紐部と、該紐部の先端部に取り付けられている結合手段と、該網本体の別の縁部にあって該結合手段と結合可能な被結合部位と、該紐部の先端部に取り付けられている錘部とからなることを特徴とする、被覆網。
〔２〕  対象物を被覆するための被覆網であって、網本体と、その縁部に取り付けられている紐部と、該紐部の先端部に取り付けられている結合手段と、該網本体の別の縁部にあって該結合手段と結合可能な被結合部位とからなり、該紐部に錘部を取り付け可能であることを特徴とする、被覆網。
〔３〕  前記網本体の下側で前記結合手段および被結合部位による結合がなされることを特徴とする、〔１〕または〔２〕に記載の被覆網。
〔４〕  前記対象物が樹木であることを特徴とする、〔１〕ないし〔３〕に記載の被覆網。【００１０】  〔５〕  前記紐部および被結合部位は、互いに前記網本体中央部の向こう側に位置して設けられていることを特徴とする、〔１〕ないし〔４〕のいずれかに記載の被覆網。
〔６〕  前記結合手段および被結合部位の組は複数設けられていることを特徴とする、〔１〕ないし〔５〕のいずれかに記載の被覆網。
〔７〕  前記錘部は錘となる物体を収容するための錘収容手段であることを特徴とする、〔１〕ないし〔６〕のいずれかに記載の被覆網。【００１１】  〔８〕  前記錘部は錘であることを特徴とする、〔１〕ないし〔６〕のいずれかに記載の被覆網。
〔９〕  前記網本体の網目は防雹効果を得られる程度に形成されていることを特徴とする、〔１〕ないし〔８〕のいずれかに記載の被覆網。
〔１０〕  前記網本体を構成する網糸は透光性に形成されていることを特徴とする、〔１〕ないし〔９〕のいずれかに記載の被覆網。
〔１１〕  〔１〕ないし〔１０〕のいずれかに記載の被覆網と、前記錘部を投てきするための投てき手段とからなる、被覆網セット。
【考案の効果】
【００１２】  本考案の被覆網および被覆網セットは上述のように構成されるため、これによれば、果樹栽培や露地での作物栽培等農業全般において降雹被害を有効に防止することができる。また、その他の分野においても、降雹被害等の降下物による被害を有効に防止することができる。しかも本考案の被覆網等は低費用で導入することができ、その上使用方法も極めて簡単である。【００１３】  本考案被覆網等は、予め何らかの装置を設置しておく必要が全くない。たとえば突然の降雹が発生した場合であっても、本被覆網を現場に持って行って、被害防止対象物に対して投てきし、所定の固定手順をするだけで、迅速かつ容易に防雹効果を得ることができる。【００１４】  もちろん、雹以外のその他の落下物にも同様である。また、果樹園や圃場の経営規模が小さくても、容易に導入できる。もちろん農業分野に限定されず、屋外にある様々な物を降雹被害その他の落下物による被害から簡易に防止することができる。
【図面の簡単な説明】
【００１５】
【図１】本考案の被覆網の基本構成を示す平面視の説明図である。
【図２】本考案の被覆網の使用方法を順に示す側面視の説明図である。
【図３】本考案の被覆網の使用方法を順に示す側面視の説明図である。
【図４】本考案の被覆網の使用方法を順に示す側面視の説明図である。
【考案を実施するための形態】
【００１６】  以下、図面により本考案を詳細に説明する。
図１は、本考案の被覆網の基本構成を示す平面視の説明図である。また、
図２〜４は、本考案の被覆網の使用方法を順に示す側面視の説明図である。これらに示すように本考案の被覆網１０は、対象物Ｓを被覆するための網であって、網本体１と、その縁部に取り付けられている紐部２Ａ等と、該紐部２Ａ等の先端部に取り付けられている結合手段３Ａ等と、該網本体１の別の縁部に取り付けられていて該結合手段３Ａ等と結合可能な被結合部位５Ａ等と、該紐部２Ａ等の先端部に取り付けられている錘部４Ａ等とからなることを、主たる構成とする。
【００１７】  図４等に示すように本被覆網１０は、網本体１の下側で結合手段３Ａ等および被結合部位５Ａ等による結合が可能なように形成されていて、また図１に示すように、紐部２Ａ等および被結合部位５Ａ等は、互いに網本体１中央部の向こう側に位置して設けられた構成を有する。
【００１８】  さらに、図示するように結合手段および被結合部位の組は、３Ａと５Ａ、３Ｂと５Ｂのように、複数設けられた構成とすることができる。結合手段および被結合部位の組が一組のみである場合も本考案被覆網の範囲内ではあるが、これは複数すなわち二組以上設けることによって、対象物Ｓを安定的に被覆し、その状態を継続する効果が高まる。なお、三組以上設けてもよい。
【００１９】  図２〜４に示すように本考案被覆網１０は、対象物Ｓを被覆するために対象物Ｓの最高位置を越すように錘部４Ａ等が投てきされ、被覆網１０は錘部４Ａ等に導かれる形で対象物Ｓの最高位置を超えて向こう側へと落下していき（図２）、錘部４Ａ等の落下により対象物Ｓ上に掛けられた状態（図３）とされた後、紐部２Ａ等の先端部に取り付けられている結合手段３Ａ等と、網本体１の別の縁部に取り付けられている被結合部位５Ａ等とが網本体１の下側で結合されて、網本体１による対象物Ｓの安定的な被覆状態が形成される（図４）。これにより、対象物Ｓに対する、降雹その他の落下物落下現象からの防護状態が得られる。
【００２０】  図１に示したように結合手段および被結合部位の組は、３Ａと５Ａ、３Ｂと５Ｂのように、二組以上設けられた構成とすることができるが（図２〜４には示さず）、これによって、対象物Ｓを安定的に被覆し、その状態を継続する効果が高まる。
【００２１】  本考案被覆網１０を構成する網本体１の材質、網目、サイズ、形状等の具体的仕様は限定されず、目的を達成可能なものである限りいかなる仕様であってもよい。たとえば網本体１の網目は、防雹効果を得られる程度に形成された構成としてもよい。この場合は、雹の透過を防ぐことの可能な１ｍｍ幅の網目が好適である。もっとも、１ｍｍより大きい網目が本考案から排除されるものではなく、１ｍｍを超える網目であってもよい。
【００２２】  また、本考案被覆網１０においては、これを構成する結合手段３Ａ等および被結合部位５Ａ等の構造、材質、サイズ、形状等の具体的仕様は限定されない。要するに、両者を確実に結合させることのできる構成であればいかなるものであってもよい。たとえば、結合手段３Ａ等としては洗濯ばさみやダブルクリップ（文房具）様の形態、被結合部位５Ａ等としてはかかる結合手段３Ａ等によって挟まれることにより滑ることなくこれと結合し得る非平滑面の部材とすることができる。
【００２３】  また、結合手段３Ａ等としては洗濯ばさみやダブルクリップ（文房具）様の形態の場合には、網本体１の縁部自体が被結合部位として機能する場合も、本考案の範囲内に含まれる。この場合はすなわち、被結合部位は網本体１の縁部の一部そのものである。
【００２４】  また、たとえば、結合手段３Ａ等としてフック構造、被結合部位５Ａ等としては当該フックが係止される環状の部材としても、もちろんよい。かかる構成でも、十分な結合を得ることができる。あるいはまた、結合手段３Ａ等と被結合部位５Ａ等とが相互に填まり合うような構造であっても、もちろんよい。
【００２５】  さらに、本考案被覆網を構成する結合手段および被結合部位は、両者を確実に結合させることのできる構成であればよいのだから、単純に、紐同士であっても、本考案の範囲内である。つまり、ともに紐である結合手段および被結合部位同士を結び合わせることによって、結合状態を得ることができる。もっともかかる構成の場合は、結合作業の時間がより長くなるため、既に述べた例のような構成の方が望ましい。
【００２６】  なお本考案被覆網は、対象物の最高部位を越すよう投てきして用いられるが、越すことができずに、たとえば樹木の枝に引っ掛かるなど対象物上に引っ掛かってしまうことがあり得る。そのような場合のために、結合手段または錘部を、下方から棒で引っ掛ける等して捕捉しやすい構造にしておけば、便利である。
【００２７】  また、本考案被覆網１０を構成する紐部２Ａ等の材質、サイズ、形状等の具体的仕様も限定されない。たとえば、断面が円形状ではなくきし麺のようなテープ状の紐を用いることも可能であるが、この場合は、紐部を束ねやすくなり、長さを調節しやすくなり、便利である。
【００２８】  また、本考案被覆網１０の錘部４Ａ等も、その構造、材質、サイズ、形状等の具体的仕様は限定されない。要するに、投てきにより本被覆網１０全体が対象物を越せるように牽引できる仕様であれば、いかなるものでもよい。方式としては、（１）錘部４Ａ等自体を錘とするのではなく、錘となる物体を収容可能な錘収容手段とする方式、（２）錘部４Ａ等自体を錘とする方式、のいずれも採ることができる。
【００２９】  錘部４Ａ等自体を錘とするのではなく錘となる物体を収容可能な錘収容手段とする方式（１）の場合、錘収容手段としては、袋、一定の固定形態を有するケースなど、投てきに適するものであれば、用いる錘に応じていかなる収容構造でもよい。なおこの方式の場合、本被覆網を錘収容手段に入れるための錘付きのセットとしてもよい。
【００３０】  本考案がその適用対象とする対象物Ｓは、特に限定されない。たとえば、リンゴ等の果樹、その他の樹木を対象物としてもよい。リンゴの木を対象物とする場合、網本体のサイズは、たとえば大サイズ：４ｍ、中サイズ：３ｍ、小サイズ：２ｍなどとしてもよい。
【００３１】  また、リンゴ等の果樹を対象物とする場合、網本体を構成する網糸は透光性に形成してもよい。これは、本考案被覆網によってこれらの果樹を被覆した状態を継続する場合に、果実の着色に対する影響を軽減ないしはなくすために、有効である。
【００３２】  本考案被覆網は、人間の手による（人力での）投てきを主に想定したものだが、それに関わらず、パチンコ式の投てき装置など適宜の投てき手段を用いる方式としてもよい。この場合、被覆網と投てき手段とを合わせた被覆網セットもまた、本考案の範囲内である。
【００３３】  なお、図示しないが、錘部、すなわち石等の錘や、そのような錘を収納できる錘収容手段が当初からは備えられておらず、使用時に紐部の先端部に取り付けられる構成であっても、本考案の範囲内である。そして、かかる構成の被覆網は、錘部付きの被覆網について以下に述べる全ての構成を採り得、またその作用効果を発揮し得る。
【産業上の利用可能性】
【００３４】  本考案の被覆網および被覆網セットによれば、果樹栽培や露地での作物栽培等農業全般において降雹被害を有効に防止することができる。また、その他の分野においても、降雹被害等の降下物による被害を有効に防止することができる。しかも本考案の被覆網等は低費用で導入することができ、その上使用方法も極めて簡単である。したがって、農業分野を初めとして広範な産業分野において、利用価値が高い考案である。
【符号の説明】
【００３５】１…網本体
２Ａ、２Ｂ…紐部
３Ａ、３Ｂ…結合手段
４Ａ、４Ｂ…錘部
５Ａ、５Ｂ…被結合部位
１０…被覆網
Ｓ…対象物
【図１】
0003197321.tif 000003
【図２】
0003197321.tif 000004
【図３】
0003197321.tif 000005
【図４】
0003197321.tif 000006
【手続補正書】
【提出日】平成26年12月12日(2014.12.12)
【手続補正１】
【補正対象書類名】実用新案登録請求の範囲
【補正対象項目名】請求項２
【補正方法】変更
【補正の内容】
【請求項２】
「紐部に錘部を取り付け可能であること」とは紐部と錘部を別々に独立したもので錘部を取りはじして次の網の時にも使えるという事です、長くないととどかないために必要な長さ３ｍぐらいが必要です、投げて木をこすことで短時間ですむから
【手続補正２】
【補正対象書類名】実用新案登録請求の範囲
【補正対象項目名】請求項５
【補正方法】変更
【補正の内容】
【請求項５】
「網本体中央部の向こう側」とは木を網でおおうため網がある側に対して向こう側です
【手続補正書】
【提出日】平成27年2月17日(2015.2.17)
【手続補正１】
【補正対象書類名】実用新案登録請求の範囲
【補正対象項目名】請求項２
【補正方法】変更
【補正の内容】
【請求項２】
対象物を被覆するための被覆網であって、網本体と、その縁部に取り付けられている紐部と、該紐部の先端部に取り付けられている結合手段と、該網本体の別の縁部に取り付けられていて該結合手段と結合可能な被結合部位とからなり、該紐部は、先端部に錘部が取り付けられるように構成したことを特徴とする、被覆網。
【手続補正２】
【補正対象書類名】実用新案登録請求の範囲
【補正対象項目名】請求項５
【補正方法】変更
【補正の内容】
【請求項５】
前記紐部および被結合部位は、前記網本体中央部を挟んで互いに反対側に位置して設けられていることを特徴とする、請求項１ないし４のいずれかに記載の被覆網。